(57)【特許請求の範囲】
【請求項１】
光源から射出された光束を、画像情報に応じて変調して光学像を形成して投射するプロジェクタであって、
前記光源から射出された光束を複数の色光に分離する色分離光学装置、及び、前記色分離光学装置で分離された複数の色光を、画像情報に応じて色光毎に変調して光学像を形成する複数の光変調装置を備え、前記色分離光学装置で分離された各色光についてそれぞれ光路が設定された第１光学系及び第２光学系と、
前記第１光学系及び第２光学系のそれぞれで形成された光学像を合成する合成光学系と、
前記合成光学系で合成された光学像を投射する投射光学系とを備え、
前記第１光学系に設定されたいずれかの色光の光路と、この色光と同じ色光について、前記第２光学系に設定された光路とが異なり、
前記第１光学系に設定された各色光の光路のうちで光路が最も長い色光の前記第２光学系に設定された光路が、前記第２光学系に設定された各色光の光路のうちで最も短いことを特徴とするプロジェクタ。
【請求項２】
請求項１に記載のプロジェクタにおいて、
前記第２光学系に設定された各色光の光路のうちで光路が最も長い色光の前記第１光学系に設定された光路が、前記第１光学系に設定された各色光の光路のうちで最も短いことを特徴とするプロジェクタ。
【請求項３】
請求項１または請求項２のいずれかに記載のプロジェクタにおいて、
前記光源の後段には、該光源から射出された光束を２種類の直線偏光光束に分離する偏光分離光学装置が設けられ、
前記第１光学系では、いずれか一方の直線偏光光束について光学像を形成し、
前記第２光学系では、いずれか他方の直線偏光光束について光学像を形成することを特徴とするプロジェクタ。
【請求項４】
請求項１から請求項３のいずれかに記載のプロジェクタにおいて、
前記第１光学系及び前記第２光学系の各色光についてのそれぞれの光路は、各色光を透過又は反射する複数の光学素子を配置して設定され、
前記第１光学系及び前記第２光学系の各色光についてのそれぞれの光路のうち、他の色光の光路よりも少ない光学素子を配置して設定される色光の光路には、ダミー光学素子が配置され、該色光の減衰量が調整されることを特徴とするプロジェクタ。
【発明の詳細な説明】
【技術分野】
【０００１】
本発明は、光源から射出された光束を、画像情報に応じて変調して光学像を形成して投射するプロジェクタに関する。
【背景技術】
【０００２】
従来、光源から射出された光束を、入力される画像情報に応じて変調して光学像を形成して投射するプロジェクタが知られている。
このプロジェクタとしては、３つの光変調装置を用いて光学像を形成する三板式のものが知られており、三板式のプロジェクタは、光源と、この光源から射出された光束を赤、緑、青の三色光に分離する色分離光学装置と、分離された色光を、画像情報に応じて色光毎に変調して光学像を形成する３つの光変調装置と、各光変調装置で形成された光学像を合成する色合成光学装置と、色合成光学装置で合成された光学像を投射面上に投射する投写光学装置とを備える。
ところで、近年、投射画像の高解像度化、高輝度化を狙って、６つの光変調装置を用いて光学像を形成するプロジェクタが提案されている（例えば、特許文献１参照）。
【０００３】
この６板式のプロジェクタは、１つの筐体内に前述した色分離光学装置、光変調装置、色合成光学装置からなる光学系を２組収納し、光源から射出された光束を、偏光ビームスプリッタアレイにより、２種類の直線偏光光束に分離し、各光学系でそれぞれの直線偏光光束による光学像を形成し、最後に偏光ビームスプリッタにより各光学系で形成された光学像を合成し、１つの投射光学系から投射面上に投射するものである。
このような６板式のプロジェクタでは、それぞれの光学系の光変調装置の画素位置を１／２画素ずらして投射画像を合成することにより、投射画像の高解像度化を実現することができる。また、偏光ビームスプリッタにより分離された２種類の直線偏光光束毎に光学像を形成しているため、各光学像を合成することにより、液晶パネル等の光変調装置で吸収される光の量を削減して、光の利用率を高めて高輝度化を実現することができる。
さらに、それぞれの光学系に別々の光源からの光束を供給することにより、投射画像の高輝度化を一層図ることができる。
【０００４】
【特許文献１】特開平１−１２６６７８号公報
【発明の開示】
【発明が解決しようとする課題】
【０００５】
しかしながら、前記特許文献１に記載の技術は、同一の光学系を１つの筐体内に収納したものに過ぎない。このため、色分離光学装置で分離された３つの色光の光路に光路差があり、１つの光学系から投射される投射画像に色ムラ等が生じている場合、これを２つの光学系で重ね合わせて投射画像を形成する６板式のプロジェクタでは、投射画像の色ムラがより強調されてしまうという問題がある。
【０００６】
本発明の目的は、投射画像の高解像度化、高輝度化を図ることができ、かつ投射画像の色ムラを低減することのできるプロジェクタを提供することにある。
【課題を解決するための手段】
【０００７】
本発明に係るプロジェクタは、
光源から射出された光束を、画像情報に応じて変調して光学像を形成して投射するプロジェクタであって、
前記光源から射出された光束を複数の色光に分離する色分離光学装置、及び、前記色分離光学装置で分離された複数の色光を、画像情報に応じて色光毎に変調して光学像を形成する複数の光変調装置を備え、前記色分離光学装置で分離された各色光についてそれぞれ光路が設定された第１光学系及び第２光学系と、
前記第１光学系及び第２光学系のそれぞれで形成された光学像を合成する合成光学系と、
前記合成光学系で合成された光学像を投射する投射光学系とを備え、
前記第１光学系に設定されたいずれかの色光の光路と、この色光と同じ色光について、前記第２光学系に設定された光路とが異なっていることを特徴とする。
【０００８】
ここで、例えば、第１光学系及び第２光学系が赤、緑、青の三色光に色分離を行っているとすると、第１光学系に設定された赤色光の光路と、第２光学系に設定された赤色光の光路が異なるということは、他の色光の光路との入れ替えを行う必要があるため、青又は緑のいずれかの色光の光路も、第１光学系及び第２光学系で異なるということとなる。
このような本発明によれば、第１光学系に設定されたある色光の光路が、第２光学系に設定される同一の色光の光路と異なっているため、第１光学系の前記色光の光路が長く、光の減衰が大きくなって形成した投射画像に色ムラが生じても、その色光は、第２光学系で異なる光路で光の減衰を少なくして投射画像が形成され、第１光学系及び第２光学系で形成された投射画像を合成することで、投射画像の色ムラを抑えることができる。
【０００９】
本発明では、前記光源の後段には、該光源から射出された光束を２種類の直線偏光光束に分離する偏光分離光学装置が設けられ、
前記第１光学系では、いずれか一方の直線偏光光束について光学像を形成し、
前記第２光学系では、いずれか他方の直線偏光光束について光学像を形成するのが好ましい。
この発明によれば、光源から射出された光束が偏光分離光学装置により２種類の直線偏光光束に分離され、それぞれの直線偏光光束が別々の光学系で変調して光学像が形成されるため、偏光方向が揃えられた光束を変調するに際して、偏光板等で吸収される光束の光量を低減することができ、光の減衰を少なくして、投射画像の高輝度化を図ることができる。
【００１０】
本発明では、
前記第１光学系及び前記第２光学系の各色光についてのそれぞれの光路は、各色光を透過又は反射する複数の光学素子を配置して設定され、
前記第１光学系及び前記第２光学系の各色光についてのそれぞれの光路のうち、他の色光の光路よりも少ない光学素子を配置して設定される色光の光路には、ダミー光学素子が配置され、該色光の減衰量が調整されるのが好ましい。
ここで、ダミー光学素子としては、例えば、入射光束の一部を反射し、一部を透過し、入射した光束の光量を減衰するようなものを採用することができ、例えば、光学ガラス等を使用することができる。
この発明によれば、光学素子の少ない光路の色光をダミー光学素子により減衰しているので、光学素子の多い他の光路の色光と同程度に減衰された色光とすることができ、各光学系内の色光に応じた色ムラを同程度にして、投射画像の品質を向上させることができる。
【発明を実施するための最良の形態】
【００１１】
以下、本発明の実施の一形態について、図面に基づいて説明する。
［第１実施形態］
図１には、本発明の実施形態に係るプロジェクタ１が示されており、このプロジェクタ１は、照明光学装置２と、偏光分離光学装置３と、第１光学系４と、第２光学系５と、合成光学系６と、投射光学系７とを備え、図示を略したが、これらの光学素子は、１つの筐体に収納されている。このプロジェクタ１は、照明光学装置２から射出された光束を、第１光学系４、第２光学系５のそれぞれで入力する画像情報に応じて変調して光学像を形成し、合成光学系６にて各光学系４、５で形成された光学像を合成し、投射光学系７により合成された光学像を投射するものである。
【００１２】
照明光学装置２は、光源装置２１、第１レンズアレイ２２、第２レンズアレイ２３、及び重畳レンズ２４を備える。
光源装置２１は、放射状の光線を射出する光源としての光源ランプ２１１と、当該光源ランプ２１１から射出された放射光を反射して所定位置に収束させるリフレクタ２１２とを備えている。このような光源ランプ２１１としては、ハロゲンランプ、メタルハライドランプ及び高圧水銀ランプ等を利用することができる。また、リフレクタ２１２としては、回転放物面を反射面とする放物面リフレクタや、回転楕円面を反射する楕円面リフレクタを採用することができる。
【００１３】
第１レンズアレイ２２及び第２レンズアレイ２３は、それぞれ対応する小レンズがマトリクス状に配列された構成を有し、第１レンズアレイ２２は、光源装置２１から入射した光束を複数の部分光束に分割して、第２レンズアレイ２３近傍に結像させる。
第２レンズアレイ２３は、光路後段に位置する重畳レンズ２４とともに、第１レンズアレイ２２の各小レンズから射出された像を、後述する第１光学系４を構成する液晶パネル４２Ｒ、４２Ｇ、４２Ｂ、及び、第２光学系５を構成する液晶パネル５２Ｒ、５２Ｇ、５２Ｂの画像形成領域に第１レンズアレイ２２で分割された複数の部分光束を重畳させる。
【００１４】
偏光分離光学装置３は、照明光学装置２から射出された光束の光路中心軸に対して、略４５deg傾斜して配置される板状体であり、ＢＫ７、石英ガラス等の透明基板上に誘電体多層膜を形成した光学素子である。偏光分離光学装置３の誘電体多層膜は、照明光学装置２から射出されたランダムな偏光光束を２種類の直線偏光光束に分離する機能を有し、光束の入射面に対して平行な直線偏光光束（Ｐ偏光光束）を透過し、入射面に対して垂直な直線偏光（Ｓ偏光光束）を反射する。この偏光分離光学装置３で分離されたＳ偏光光束は、投射光学系７と正対する方向に配置される第１光学系４に供給され、Ｐ偏光光束は、投射光学系７に対して直角方向に配置される第２光学系５に供給される。
【００１５】
第１光学系４は、偏光分離光学装置３で分離されたＳ偏光光束を、画像情報に応じて変調して光学像を形成する部分であり、色分離光学装置４１、光変調装置４２、及び色合成光学装置４３を備える。
色分離光学装置４１は、入射したＳ偏光光束を赤色光（Ｒ）、緑色光（Ｇ）、青色光（Ｂ）の三色光に分離する機能を有し、ダイクロイックミラー４１１、４１２、及び反射ミラー４１３、４１４、４１５を備える。
【００１６】
ダイクロイックミラー４１１、４１２は、Ｓ偏光光束の光路中心軸に対して略４５deg傾斜して配置され、ＢＫ７、石英ガラス等の透明基板上に誘電体多層膜を形成した光学素子である。ダイクロイックミラー４１１、４１２の誘電体多層膜は、特定の波長域の光束を反射し、それ以外の光束を透過して、Ｓ偏光光束を複数の色光に分離する機能を有する。光路前段に配置されるダイクロイックミラー４１１は、青色光（Ｂ）を反射し、それ以外の赤色光（Ｒ）、緑色光（Ｇ）を透過し、一方、光路後段に配置されるダイクロイックミラー４１２は、緑色光（Ｇ）を反射し、赤色光（Ｒ）を透過する。
反射ミラー４１３、４１４、４１５は、ダイクロイックミラー４１１、４１２で分離された各色光Ｒ、Ｇ、Ｂを、光変調装置４２を構成する液晶パネル４２Ｒ、４２Ｇ、４２Ｂに導く光学素子であり、全反射ミラーで構成される。
【００１７】
光変調装置４２は、３つの液晶パネル４２Ｒ、４２Ｇ、４２Ｂと、各液晶パネル４２Ｒ、４２Ｇ、４２Ｂの光路前段に配置される３つの入射側偏光板４２１Ｒ、４２１Ｇ、４２１Ｂと、各液晶パネル４２Ｒ、４２Ｇ、４２Ｂの光路後段に配置される３つの射出側偏光板４２２Ｒ、４２２Ｇ、４２２Ｂとを備える。
３つの入射側偏光板４２１Ｒ、４２１Ｇ、４２１Ｂは、ＢＫ７、石英ガラス等の透明基板上に偏光膜を形成して構成され、偏光分離光学装置３で分離されたＳ偏光光束を透過する性質を有し、光路途中のダイクロイックミラー４１１、４１２等で位相が偏光された光束を吸収する。
液晶パネル４２Ｒ、４２Ｇ、４２Ｂは、一対の透明なガラス基板に電気光学物質である液晶が密閉封入された構成を有し、入力される画像情報に応じて液晶の配向状態が制御されることで、入射側偏光板４２１Ｒ、４２１Ｇ、４２１Ｂから射出された偏光光の偏光方向を変調する。
３つの射出側偏光板４２２Ｒ、４２２Ｇ、４２２Ｂは、液晶パネル４２Ｒ、４２Ｇ、４２Ｂを介して射出された光束のうち、Ｐ偏光光束のみを透過し、その他の光束を吸収する。
【００１８】
色合成光学装置４３は、各射出側偏光板４２２Ｒ、４２２Ｇ、４２２Ｂから射出された変調光束を合成してカラー画像を形成する機能を有し、４つの直角プリズムを貼り合わせた平面視略正方形状を有し、直角プリズム同士を貼り合わせた界面には、２つの誘電体多層膜が形成されたクロスダイクロイックプリズムとして構成される。２つの誘電体多層膜は、一方が赤色光（Ｒ）を反射し、緑色光（Ｇ）を透過する性質を有し、他方が青色光（Ｂ）を反射し、緑色光（Ｇ）を透過する性質を有し、これら誘電体多層膜によって赤色光（Ｒ）、緑色光（Ｇ）、青色光（Ｂ）が合成されてカラー画像が形成される。
【００１９】
第２光学系５は、偏光分離光学装置３で分離されたＰ偏光光束を、画像情報に応じて変調して光学像を形成する部分であり、基本的には第１光学系４と同様に、色分離光学装置５１、光変調装置５２、及び色合成光学装置５３を備え、その機能及び作用も基本的には同じである。
色分離光学装置５１は、ダイクロイックミラー５１１、５１２、及び反射ミラー５１３、５１４、５１５を備えているが、Ｐ偏光光束の光路前段に配置されるダイクロイックミラー５１１は、赤色光（Ｒ）を反射し、緑色光（Ｇ）及び青色光（Ｂ）を透過する誘電体多層膜が透明基板上に形成されており、後段に配置されるダイクロイックミラー５１２は、緑色光（Ｇ）を反射し、青色光（Ｂ）を透過する誘電体多層膜が透明基板上に形成されている。
【００２０】
光変調装置５２は、第１光学系４と同様に、３つの液晶パネル５２Ｒ、５２Ｇ、５２Ｂと、各液晶パネル５２Ｒ、５２Ｇ、５２Ｂの光路前段に配置される入射側偏光板５２１Ｒ、５２１Ｇ、５２１Ｂと、各液晶パネル５２Ｒ、５２Ｇ、５２Ｂの光路後段に配置される射出側偏光板５２２Ｒ、５２２Ｇ、５２２Ｂとを備える。しかし、第１光学系４と異なり、第２光学系５に供給される光束がＰ偏光光束であるため、３つの入射側偏光板５２１Ｒ、５２１Ｇ、５２１Ｂは、Ｐ偏光光束を透過する性質を有し、３つの射出側偏光板５２２Ｒ、５２２Ｇ、５２２Ｂは、Ｓ偏光光束を透過する性質を有している点が相違する。
【００２１】
このような第１光学系４、第２光学系５において、ダイクロイックミラー４１２、５１２の反射光の光路後段で入射側偏光板４２１Ｇ、５２１Ｇの前段には、ダミー光学素子４４、５４が配置され、このダミー光学素子４４、５４は、ＢＫ７等の光学ガラスから構成されている。
第１光学系４のダミー光学素子４４及び第２光学系５のダミー光学素子５４は、各光学系４、５における赤色光（Ｒ）、緑色光（Ｇ）、青色光（Ｂ）の光路中に配置される光学素子の数を調整して、各色光の光量の減衰を同程度とするために設けられている。
【００２２】
具体的には、第１光学系４及び第２光学系５の赤色光（Ｒ）の光路中には、第１光学系４でダイクロイックミラー４１１、４１２、反射ミラー４１４、４１５が配置され、第２光学系５でダイクロイックミラー５１１、反射ミラー５１３が配置され、赤色光（Ｒ）は、計６つの光学素子を透過又は反射することとなる。
青色光（Ｂ）の光路中には、第１光学系４でダイクロイックミラー４１１、反射ミラー４１３が配置され、第２光学系５でダイクロイックミラー５１１、５１２、反射ミラー５１４、５１５が配置され、同様に、青色光（Ｂ）は、計６つの光学素子を透過又は反射することとなる。
【００２３】
一方、ダミー光学素子４４、５４がない場合、緑色光（Ｇ）の光路中には、第１光学系４でダイクロイックミラー４１１、４１２が配置され、第２光学系５でダイクロイックミラー５１１、５１２が配置され、緑色光（Ｇ）は、計４つの光学素子しか透過又は反射しない。
このようなダミー光学素子４４、５４を配置しない状態では、緑色光（Ｇ）の光路中での減衰が少ないため、投射光学系７から投射される投射画像は、緑色光（Ｇ）の光量が多い投射画像となる可能性が高い。
そこで、本実施形態では、緑色光（Ｇ）の光路中にダミー光学素子４４、５４を配置し、緑色光（Ｇ）が透過又は反射する光学素子を、他の色光と同じ数となるようにした。
このようなダミー光学素子４４、５４によれば、赤色光（Ｒ）、緑色光（Ｇ）、青色光（Ｂ）が透過又は反射する光学素子の数を同じにすることができるため、光学素子を透過又は反射する際の光量の減衰を同じにすることができ、投射光学系７から投射された投射画像の色光に応じた色ムラを同程度にして、投射画像の品質を向上させることができる。
【００２４】
合成光学系６は、第１光学系４及び第２光学系５で形成された光学像を合成するものであり、２つの三角形状のプリズムを貼り合わせた平面視略正方形状を有し、プリズム同士を貼り合わせた界面には、誘電体多層膜が形成されている。この誘電体多層膜は、前述した偏光分離光学装置３と同様に、Ｐ偏光光束を透過し、Ｓ偏光光束を反射する偏光分離膜とされる。
合成光学系６は、図２に示されるように、第１光学系４の画素Ｐ１に対して、第２光学系５の画素Ｐ２を、左右方向に１／２画素、上下方向に１／２画素ずらして各光学系４、５の光学像を合成する。
投射光学系７は、図１では図示を略したが、鏡筒内に複数のレンズが光軸を合わせて配列された組レンズから構成され、合成光学系６で合成された光学像を投射面上に投射する。
【００２５】
このような本実施形態に係るプロジェクタ１において、第１光学系４では、青色光（Ｂ）の光路が最も短く、赤色光（Ｒ）の光路が最も長く設定され、第２光学系５では、青色光（Ｂ）の光路が最も長く、赤色光（Ｒ）の光路が最も短く設定されている。従って、合成光学系６において、第１光学系４で形成された光学像と、第２光学系５で形成された光学像とを合成すると、各光学系４、５の光路差による色ムラを相互に補完しあうことができるため、合成された投射画像の色ムラを抑えることが可能となる。
【００２６】
［第２実施形態］
次に、本発明の第２実施形態について説明する。尚、以下の説明では、既に説明した部分等については、同一符号を付してその説明を省略する。
前述した第１実施形態に係るプロジェクタ１では、照明光学装置２の後段に偏光分離光学装置３を設け、照明光学装置２から射出した光束を、Ｐ偏光光束とＳ偏光光束に分離し、第１光学系４でＳ偏光光束に基づいて光学像を形成し、第２光学系５でＰ偏光光束に基づいて光学像を形成し、各光学像を合成光学系６で合成して投射画像を形成していた。
これに対して、第２実施形態に係るプロジェクタ８では、図３に示されるように、第１光学系４及び第２光学系５のそれぞれに照明光学装置２を設け、各照明光学装置２から射出された光束に基づいて、第１光学系４及び第２光学系５のそれぞれで光学像を形成し、合成光学系６で各光学像を合成して、投射画像を形成している点が相違する。
【００２７】
また、各照明光学装置２の第２レンズアレイ２３及び重畳レンズ２４の間には、偏光変換素子８１、８２が設けられている。偏光変換素子８１、８２は、照明光学装置２から射出された光束を、略１種類の直線偏光光束に変換するために設けられており、第１光学系４の偏光変換素子８１は、照明光学装置２から射出された光束をＳ偏光光束に変換する。一方、第２光学系５の偏光変換素子８２は照明光学装置２から射出された光束をＰ偏光光束に変換する。
偏光変換素子８１、８２は、一方の対角が４５deg、他方の対角が略１３５degとされた断面平行四辺形状の複数のプリズムを、斜面同士を接合して形成された板状体であり、接合される界面には、偏光分離膜と全反射ミラーが交互に蒸着形成されている。
また、偏光変換素子８１、８２の光束射出面には、所定のピッチで複数の１／２波長位相差板が設けられている。
【００２８】
このような偏光変換素子８１、８２では、偏光分離膜を形成した面に光束を入射させると、Ｐ偏光光束はそのまま透過して射出され、Ｓ偏光光束は、偏光分離膜で略直角に折り曲げられ、全反射ミラーで再度直角に折り曲げられて射出される。
射出されたＰ偏光光束、Ｓ偏光光束のいずれかは、後段に設けられる１／２波長位相差板によって、偏光方向が９０deg変換され、これにより入射した光束を１種類の直線偏光光束に変換することが可能となる。尚、偏光変換素子８１は、１／２波長位相差板が偏光分離膜に対応する位置に設けられ、偏光変換素子８２は、１／２波長位相差板が全反射ミラーに対応する位置に設けられている。
【００２９】
このような第２実施形態に係るプロジェクタ８では、前述した第１実施形態に係るプロジェクタ１の効果に加えて、各光学系４、５に光束を供給する照明光学装置２が独立してそれぞれ設けられているため、それぞれの光学系４、５で形成する光学像の光量を多く確保することができ、投射画像の高輝度化を図ることができる。
また、各照明光学装置２を独立して駆動制御することにより、それぞれの照明光学装置２から射出される光束の光量を調整することができるため、合成光学系６で合成された投射画像の輝度ムラ、色ムラ等をより少なくすることができる。
【００３０】
［実施形態の変形］
尚、本発明は、前述した実施形態に限定されるものではなく、以下に示すような変形をも含むものである。
前記実施形態では、光変調装置として透過型の液晶パネル４２Ｒ、４２Ｇ、４２Ｂ、５２Ｒ、５２Ｇ、５２Ｂを採用していたが本発明はこれに限られず、例えば、反射型の液晶パネルや、マイクロミラーを用いたデバイスで２つの光学系を構成し、これを合成して投射画像を投射するプロジェクタに本発明を採用してもよい。
その他、本発明の実施の際の具体的な構造及び形状等は、本発明の目的を達成できる範囲で他の構造等としてもよい。
【図面の簡単な説明】
【００３１】
【図１】本発明の第１実施形態に係るプロジェクタの構造を表す模式図。
【図２】前記実施形態における合成光学系によって合成された第１、第２光学系の投射画像の状態を表す模式図。
【図３】本発明の第２実施形態に係るプロジェクタの構造を表す模式図。
【符号の説明】
【００３２】
１…プロジェクタ、２…照明光学装置、３…偏光分離光学装置、４…第１光学系、５…第２光学系、６…合成光学系、７…投射光学系、８…プロジェクタ、２１…光源装置、２２…第１レンズアレイ、２３…第２レンズアレイ、２４…重畳レンズ、４１…色分離光学装置、４２…光変調装置、４２Ｒ、４２Ｇ、４２Ｂ…液晶パネル、４３…色合成光学装置、４４…ダミー光学素子、５１…色分離光学装置、５２…光変調装置、５２Ｒ、５２Ｇ、５２Ｂ…液晶パネル、５３…色合成光学装置、５４…ダミー光学素子、８１、８２…偏光変換素子、２１１…光源ランプ、２１２…リフレクタ、４１１、４１２…ダイクロイックミラー、４１３、４１４、４１５…反射ミラー、４２１Ｒ、４２１Ｇ、４２１Ｂ…入射側偏光板、４２２Ｒ、４２２Ｇ、４２２Ｂ…射出側偏光板、５１１、５１２…ダイクロイックミラー、５１３、５１４、５１５…反射ミラー、５２１Ｒ、５２１Ｇ、５２１Ｂ…入射側偏光板、５２２Ｒ、５２２Ｇ、５２２Ｂ…射出側偏光板、Ｐ１…画素、Ｐ２…画素
【図１】
0005104338.tif 000002
【図２】
0005104338.tif 000003
【図３】
0005104338.tif 000004